(57)【要約】第１および第２の光源ならびに制御器を含むシステム。第１の光源は、第１の知覚色の第１の光ビームを生成するように構成される。第２の光源は、異なる第２の知覚色の第２の光ビームを生成するように構成される。制御器は、第１の光ビームからの光を第１の時間インターバルの間にイメージ・プロジェクタに導き、第２の光ビームからの光を第２の時間インターバルの間にイメージ・プロジェクタに導くように構成される。第１の光源は、第１の強度を有する第１の光ビームを生成する。第２の光源は、異なる第２の強度を有する第２の光ビームを生成する。制御器は、第２の時間インターバルが第１の時間インターバルより長くなるように、第１および第２の時間インターバルを一時的にインターリーブするように構成される。方法もまた、提供される。
2011510356.tif 000002
【特許請求の範囲】
【請求項１】
第１の知覚色の第１の光ビームを生成するように構成された第１の光源と、
異なる第２の知覚色の第２の光ビームを生成するように構成された第２の光源と、
前記第１の光ビームからの光を第１の時間インターバルの間にイメージ・プロジェクタに導き、前記第２の光ビームからの光を第２の時間インターバルの間にイメージ・プロジェクタに導くように構成された制御器とを備え、
前記第１の光源が第１の強度を有する前記第１の光ビームを生成し、前記第２の光源が異なる第２の強度を有する前記第２の光ビームを生成し、
前記制御器が、前記第２の時間インターバルが前記第１の時間インターバルより長くなるように前記第１および第２の時間インターバルを一時的にインターリーブするように構成される、システム。
【請求項２】
前記第２の光ビームの前記強度の前記第２の時間インターバルにわたる積分に対する、前記第１の光ビームの前記強度の前記第１の時間インターバルにわたる積分の比が、前記第２の光ビームの前記強度に対する前記第１の光ビームの前記強度の比の約０．７５倍未満である、請求項１に記載のシステム。
【請求項３】
前記第１および第２の知覚色と異なる第３の知覚色の第３の光ビームを生成するように構成された第３の光源をさらに備え、
前記制御器が、第３の時間インターバルの間に前記第３の光ビームをイメージ・プロジェクタに導くように構成され、前記第３の時間インターバルが前記第１または第２の時間インターバルより短くなるように、前記第３の時間インターバルが、前記第１の時間インターバルの間および前記第２の時間インターバルの間に一時的にインターリーブされる、請求項１に記載のシステム。
【請求項４】
前記第１、第２および第３の時間インターバルそれぞれにわたって積分される前記第１、第２および第３の光ビームの前記強度が、白の知覚色の光を集合的に生み出す、請求項３に記載のシステム。
【請求項５】
前記制御器が、第４の時間インターバルの間に、前記第１、第２および第３の光ビームを前記イメージ・プロジェクタに同時に導くように構成され、前記第４の時間インターバルが前記第３のインターバルに続く、請求項３に記載のシステム。
【請求項６】
前記制御器が、第１の光放射サイクルの間に前記第１の光源をパルス動作させるように構成される、請求項１に記載のシステム。
【請求項７】
前記制御器が、前記第１の光源が光を放射するときの前記第１の光放射サイクルの副周期であって、前記第１の光源が光を放射しないときの前記第１の光放射サイクルの別の副周期とは異なる持続時間を有する副周期を生成するように構成される、請求項６に記載のシステム。
【請求項８】
第１の知覚色の第１の光ビームを生成するように構成された第１の光源と、異なる第２の知覚色の第２の光ビームを生成するように構成された第２の光源と、前記第１および第２の光ビームからの光をイメージ・プロジェクタに導くように構成された制御器とを提供するステップを含み、
前記第１の光源が第１の強度を有する前記第１の光ビームを生成し、前記第２の光源が異なる第２の強度を有する前記第２の光ビームを生成し、さらに、
前記制御器に、第１の時間インターバルの間に前記第１の光ビームからの光をイメージ・プロジェクタに導かせ、第２の時間インターバルの間に前記第２の光ビームからの光をイメージ・プロジェクタに導かせるステップを含み、
前記制御器に、前記第１および第２の光ビームからの光をイメージ・プロジェクタに導かせるステップが、前記第２の時間インターバルが前記第１の時間インターバルより長くなるように、前記第１および第２の時間インターバルを一時的にインターリーブするように、前記制御器を構成するステップを含む、方法。
【請求項９】
前記制御器に光を導かせるステップが、前記第２の光ビームの前記強度の前記第２の時間インターバルにわたる積分に対する、前記第１の光ビームの前記強度の前記第１の時間インターバルにわたる積分の比を、前記第２の光ビームの前記強度に対する前記第１の光ビームの前記強度の比の約０．７５倍未満に制御するステップを含む、請求項８に記載の方法。
【請求項１０】
前記第１および第２の知覚色と異なる第３の知覚色の第３の光ビームを生成するように構成される第３の光源を提供するステップを含み、前記制御器に光を導かせるステップが、前記制御器に、第３の時間インターバルの間、前記第３の光ビームをイメージ・プロジェクタに導かせるステップを含み、前記第３の時間インターバルが前記第１または第２の時間インターバルより短くなるように、前記第３の時間インターバルが、前記第１の時間インターバルの間および前記第２の時間インターバルの間に一時的にインターリーブされる、請求項８に記載の方法。
【発明の詳細な説明】
【技術分野】
【０００１】
関連出願
本出願は、その全体が参照により本出願に組み込まれている、２００８年１月２２日に出願した、「ＭＵＬＴＩ−ＣＯＬＯＲ  ＬＩＧＨＴ  ＳＯＵＲＣＥ」と題する、米国特許出願第１２／００９，９９１号の優先権を主張するものである。
【０００２】
本発明は一般に、視覚表示を生成するために多色光源ビームを使用する視覚表示システムに関する。
【背景技術】
【０００３】
本節は、本発明をより分かり易くするのを助けることができる態様を提示する。したがって、本節の記載はこの観点から読まれるべきであり、従来技術であるものまたは従来技術でないものについての容認として理解されるべきではない。
【０００４】
様々な種類の視覚表示システムが、光源ビームを使用できる。これらのシステムは、例えば、空間光変調器などのイメージ・プロジェクタを含んでよい。空間光変調器の例は、液晶表示装置、液晶オン・シリコン表示装置、およびディジタル光プロセッサを含む。視覚表示システムは、色彩制御データを受信し、イメージ・プロジェクタを使用して表示することができる。
【先行技術文献】
【特許文献】
【０００５】
【特許文献１】米国特許出願第１２／００９，９９１号
【特許文献２】米国特許出願第１１／７１３２０７号
【特許文献３】米国特許出願第１１／６８１３７６号
【特許文献４】米国特許出願第１１／７１３１５５号
【特許文献５】米国特許出願第１１／７１３４８３号
【発明の概要】
【発明が解決しようとする課題】
【０００６】
これらの発達にもかかわらず、光源ビームを使用する改良された視覚表示システムに対する必要性が、引き続き存在する。
【課題を解決するための手段】
【０００７】
実施の一例において、第１の光源、第２の光源、および制御器を含むシステムが提供される。第１の光源は、第１の知覚色の第１の光ビームを生成するように構成される。第２の光源は、異なる第２の知覚色の第２の光ビームを生成するように構成される。制御器は、第１の光ビームからの光を第１の時間インターバルの間にイメージ・プロジェクタに導くように、また第２の光ビームからの光を第２の時間インターバルの間にイメージ・プロジェクタに導くように、構成される。第１の光源は、第１の強度を有する第１の光ビームを生成する。第２の光源は、異なる第２の強度を有する第２の光ビームを生成する。制御器は、第２の時間インターバルが第１の時間インターバルより長くなるように、第１および第２の時間インターバルを一時的にインターリーブするように構成される。
【０００８】
実施の他の例として、第１および第２の光源ならびに制御器を提供するステップを含む方法が提供される。そのように提供される第１の光源は、第１の知覚色の第１の光ビームを生成するように構成される。そのように提供される第２の光源は、異なる第２の知覚色の第２の光ビームを生成するように構成される。第１の光源は、第１の強度を有する第１の光ビームを生成し、第２の光源は、異なる第２の強度を有する第２の光ビームを生成する。そのように提供される制御器は、第１および第２の光ビームからの光をイメージ・プロジェクタに導くように構成される。方法は、制御器に、第１の時間インターバルの間に第１の光ビームからの光をイメージ・プロジェクタに導かせ、第２の時間インターバルの間に第２の光ビームからの光をイメージ・プロジェクタに導かせるステップを含む。制御器に第１および第２の光ビームからの光をイメージ・プロジェクタに導かせるステップは、第２の時間インターバルが第１の時間インターバルより長くなるように、第１および第２の時間インターバルを一時的にインターリーブするように、制御器を構成するステップを含む。
【０００９】
本発明の他のシステム、方法、特徴および利点は、以下の図面および詳細な説明を吟味すれば、当業者には明らかであるか、または明らかになるであろう。すべてのそのような追加のシステム、方法、特徴および利点は、この説明の中に含まれ、本発明の範囲内にあり、また添付の特許請求の範囲で保護されることが意図される。
【００１０】
本発明は、以下の図を参照することで、より良く理解されうる。図の中の構成要素は、必ずしも縮尺どおりではなく、むしろ本発明の原理を例示するうえで強調が置かれる。さらに、図において、異なる図を通して同様の参照番号は対応する部品を示す。
【図面の簡単な説明】
【００１１】
【図１】システムの実施の一例を示す斜視図である。
【図２】システムの一例の動作を概略的に示す時系列グラフである。
【図３】システムの他の例の一部分の動作を概略的に示す時系列グラフである。
【図４】図３のシステムの例の他の部分の動作を概略的に示す時系列グラフである。
【図５】図３および図４のシステムの追加の部分の動作を概略的に示す時系列グラフである。
【図６】図２〜図５に示すような多色光源を有する結像システムを動作させる方法の実施の一例を示す流れ図である。
【発明を実施するための形態】
【００１２】
３つの異なる色を有する光源が、例えば多色表示システムの中で使用されうる。例として、これらの色は、人の目に対してそれぞれ赤、緑、および青に見えてよく、色表示画像を生成するための三原色として使用されうる。そのような多色表示システムは、例えばイメージ・プロジェクタを含むことができる。そのような表示システムは、表示画像を生成するための空間光変調器（ＳＬＭ）を照明するために、三原色の照明源を使用することができる。ＳＬＭの例は、液晶表示パネル、液晶オン・シリコンパネル、およびディジタル光プロセッサを含む。そのようなＳＬＭの中に表示されるべき像は、一例として、ピクセルに分解されうる。表示される像を生成するためのデータは、各ピクセルに対する値の個別のセットを含むことができる。それぞれの値のセットは、ＳＬＭの特定のピクセルが生成する必要のある三原色における光の強度をそれぞれ画定する、３つの値を含むことができる。それゆえ、カラー像に対するデータは、それぞれ赤、緑および青の光に対するピクセルのそれぞれに対する強度情報を含む、赤、緑および青の像に、さらに分割されうる。ビデオ表示に対して、表示されるべき各像はフレームと呼ばれてよく、各フレームは、赤、緑、および青のサブフレームを有することができる。視覚表示システムは、例として、これらのサブフレームを、同時または時系列のいずれかで表示することができる。順次表示の場合、赤、緑、および青のサブフレームは、人の目の像保持時間より速く、時系列の方法で表示されうる。したがって、人の目は、３つのサブフレームを一緒に混合することができる。結果として、３つのサブフレームすべてを含むカラー像が、人の脳に現れうる。順次表示に関するシステムが、本明細書において提供される。
【００１３】
図１は、第１、第２および第３の光源１０２、１０４、１０６、ならびに制御器１０８を含むシステム１００の実施の一例を示す斜視図である。一例において、システム１００は、イメージ・プロジェクタ１１０と、または第１、第２および第３の光源１０２、１０４、１０６から放射される光を受光し、表示するのに適する他の装置とをさらに含むことができる。他の例（図示せず）において、第３の光源１０６は、省略されてよい。制御器１０８は、例えばディジタル・ドライブ（図示せず）を含むことができる。第１、第２および第３の光源１０２、１０４、１０６は、それぞれ、矢印１１２、１１４、１１６で示される第１、第２および第３の光ビームを生成するように構成される。例えば、第１、第２および第３の光源１０２、１０４、１０６は、色表示フレームを生成するための三原色として集合的に働く、第１、第２および第３の知覚色（ｐｅｒｃｅｐｔｕａｌ  ｏｒ  ｐｅｒｃｅｉｖｅｄ  ｃｏｌｏｒ）を有する光ビームを生成するように構成されうる。例えば、色表示フレームは、選択された色空間によるディジタル・データでエンコードされるカラー像を含むことができる。矢印１１２、１１４、１１６でそれぞれ示される第１、第２および第３の光ビームは、それぞれ第１、第２および第３の強度を有する。やはり、矢印１１２、１１４、１１６でそれぞれ示される第１、第２および第３の強度は、第１、第２および第３の光源１０２、１０４、１０６で物理的に達成されうる、それぞれ第１、第２および第３の最大値を有する。システム１００の例のイメージ・プロジェクタ１１０は、それぞれ矢印１１２、１１４、１１６で示される第１、第２および第３の光ビームをそれぞれ含む、順次生成される第１、第２および第３のサブフレーム（図示せず）を含む、色表示フレームを生成するように構成されうる。制御器１０８は、矢印１１８で示される色制御データまたは画像データの入力を受信するように構成される。制御器１０８はまた、第１、第２および第３のサブフレーム（図示せず）を画定するために、矢印１１２、１１４、１１６で示される第１、第２および第３の光ビームの生成を制御する、矢印１２０、１２２、１２４それぞれで示される色制御データ出力を生成するように構成される。さらに、制御器１０８は、第１、第２および第３の光源１０２、１０４、１０６のそれぞれを、一時的にインターリーブされる第１、第２および第３の光放射サイクル（図示せず）の中で、矢印１１２、１１４、１１６でそれぞれ示される、それらの実質的に最大の物理的に達成可能な強度で、順次動作させるように構成される。制御器１０８はまた、例えば、第１、第２および第３の光放射サイクルを通して、第１、第２および第３のサブフレームそれぞれを、イメージ・プロジェクタ１１０で順次表示することが、白の画像フレームがイメージ・プロジェクタ１１０に入力されるときに、知覚白色を有するようなイメージ・プロジェクタの中で、色表示フレームを集合的に生成するように、構成されうる。例として、そのような知覚白色は、選択された色空間による標準的な白の知覚色、または、システム１００のオペレータにより選択される任意の知覚白色であってよい。
【００１４】
以下の慣例は、本明細書を通して当業者に理解される。用語「総合的全エネルギー（ｔｏｔａｌ  ｆｕｌｌ  ｅｎｅｒｇｙ）」は、人の目で知覚される、光ビームの明るさを示す。人の目で知覚される光ビームの明るさは、ほぼ、人の脳の平均的な像保持時間周期にわたって人の目で検出される総合的光エネルギーの積分である。一例として、人の目で知覚される光ビームの明るさは、光ビームの平均強度（即ちパワー）に平均的像保持時間周期を超えない光放射時間周期を掛けた積として表されうる。例えば、像は、毎秒６０フレームの色フレーム表示速度で、人の目で見るために表示されてよく、その速度は、色表示フレーム当たり約１７ミリ秒（ｍＳ）の最大色フレーム表示時間周期と同等であるとみなされる。色フレーム表示速度のそのような一例において、人の脳は、約１７ｍＳの最大色フレーム表示時間より長い時間周期の間、それぞれの色表示フレーム画像を保持し、それにより、人の脳は、色表示フレームに逐次的に記録された画像の変化を、連続動作であるかのように知覚することができる。目はまた、異なる色の３つのサブフレームを、１つの色フレームに統合することができる。システム１００の例において、色表示フレームの１７ｍＳは、上述のように、第１、第２および第３のサブフレームの間で順次分配されうる。最大の物理的に達成可能な強度に適用されるような用語「実質的に（ｓｕｂｓｔａｎｔｉａｌｌｙ）」は、第１、第２または第３の光源１０２、１０４、１０６などの対象の光源が、その対象の光源に対する、または同じ構成を有する光源に対する、平均定格で達成可能な最高強度出力にほぼ匹敵する最大の物理的に達成可能な強度で、光子を放射することを意味する。同等の総合的全エネルギーに適用されるような用語「実質的に（ｓｕｂｓｔａｎｔｉａｌｌｙ）」は、１つの対象の総合的全エネルギーが、他の対象の総合的全エネルギーのプラス・マイナス５パーセント（５％）の中にあることを意味する。
【００１５】
システム１００は、例えば、第１、第２および第３の光源１０２、１０４、１０６を等しい時間周期の間動作させることで、矢印１１２、１１４、１１６でそれぞれ示される第１、第２および第３の光ビームの不均等な強度を有する色表示フレームが生成されるように構成されうる。一例として、そのような色表示フレームは、青みがかった知覚色を有する可能性があるが、システム１００の構成は、白の知覚色を有する色表示フレームの生成を促進するのに有用でありうる。さらに、例えば、システム１００の構成は、第１、第２および第３のサブフレームの間で等しい時間持続が割り当てられる場合、矢印１１２、１１４、１１６で示される第１、第２および第３の光ビームのうちの１つの光ビームの最大達成可能出力強度が、第１、第２および第３の光源１０２、１０４、１０６のすべてがそれらの最大達成可能強度で動作される場合、矢印１１２、１１４、１１６で示される第１、第２および第３の光ビームのうちの他の２つの光ビームと組み合わされるときに、選択された標準の白の知覚色を生み出すのに必要な強度より低くなりうるほどのものである。その場合、例えばシステム１００の構成は、色表示フレームの第１、第２および第３のサブフレームにおいて使用可能な全時間、例えば１７ｍＳを再配分するように修正されうる。一例として、３つの異なる知覚原色をそれぞれ有する３つのサブフレームに対する全表示時間の配分が、意図的に不均等に割り当てられてよい。例えば、対応する知覚原色サブフレームを生み出すために第１、第２および第３の光源１０２、１０４、１０６の間で最弱の、即ち最低の最大達成可能強度光源により、光が放射される間の時間周期は、第１、第２および第３の光源１０２、１０４、１０６のうちの他の２つの光源が、それらそれぞれの知覚色サブフレームを生み出すために光を放射する間の時間周期より長い時間周期として構成されうる。他の例として、等しい時間持続が３つの光源１０２、１０４、１０６のそれぞれからの光放射に割り当てられる場合、矢印１１２、１１４、１１６でそれぞれ示される光源１０２、１０４、１０６のうちの１つの光源の最大達成可能強度は、やはり最大達成可能出力強度で動作している、光源１０２、１０４、１０４のうちの他の２光源からの光放射と組み合わされるときに、所定の標準的な白の知覚色を生み出すのに匹敵する強度より高い可能性がある。したがって、そのような一例において色表示フレームの三原色サブフレームを生成する第１、第２および第３の光放射サイクルに対して使用可能な全時間は、１０２、１０４、１０６のうちの最高出力強度の光源が対応する原色サブフレームを生み出すために光を放射する間の時間周期が、１０２、１０４、１０６のうちの他の２光源がそれらそれぞれの色のサブフレームを生み出すために光を放射する間の時間周期より短くなるように、分配されうる。色表示フレームのために使用可能な時間持続は、例えば、６０ヘルツ（Ｈｚ）色フレーム表示速度に対して約１７ｍＳでありうる。可能な最大の明るさに対して、この使用可能な時間持続は、例えば、（１）３光源１０２、１０４、１０６のすべてが、それらの最大の物理的に達成可能な強度で動作する、（２）白の知覚色が、予備選択された標準的な白の色座標に適合するイメージ・プロジェクタ１１０により生み出される、という２条件に適合するように、３つの選択された原色の３つのサブフレームそれぞれに割り当てられうる。
【００１６】
一例として、第１、第２および第３の時間インターバルそれぞれにわたって統合される第１、第２および第３の光ビームの強度が、白色光の知覚色を集合的に生み出すことができる。他の例において、制御器１０８は、矢印１２０、１２２、１２４で示される第１、第２および第３の光ビームを、第１、第２および第３のインターバルにおいて同時に導くように構成されてよく、第４の時間インターバルが第３のインターバルに続く。
【００１７】
一例において、矢印１２４で示される第３の光ビームは、矢印１２０で示される第１の光ビームの強度と異なる強度、および矢印１２２で示される第２の光ビームの強度と異なる強度を有することができる。他の例として、システム１００は、矢印１２４で示される第３の光ビームの強度の第３の時間インターバルにわたる積分に対する、矢印１２０で示される第１の光ビームの強度の第１の時間インターバルにわたる積分の比が、第３の光ビームの強度に対する第１の光ビームの強度の比の約０．５倍未満となるように構成されうる。
【００１８】
追加の例として、第１の光源１０２は、約５００ナノメートルと約５５０ナノメートルの間の第１の波長範囲の中の光を生成するように構成されうる。その第１の波長範囲の中の光は、一般に、人の目に緑として知覚される色を有する。さらにその追加の例において、第２の光源１０４は、約４００ナノメートルと約４９９ナノメートルの間の第２の波長範囲の中の光を生成するように構成されうる。その第２の波長範囲の中の光は、一般に、人の目に青として知覚される色を有する。再びその追加の例において、第３の光源１０６は、約６００ナノメートルと約６５０ナノメートルの間の第３の波長範囲の中の光を生成するように構成されうる。その第３の波長範囲の中の光は、一般に、人の目に赤として知覚される色を有する。
【００１９】
一例において、矢印１２２で示される第２の光ビームの強度の第２の時間インターバルにわたる積分に対する、矢印１２０で示される第１の光ビームの強度の第１の時間インターバルにわたる積分の比が、第２の光ビームの強度に対する第１の光ビームの強度の比の約０．７５倍未満でありうる。他の例として、矢印１２２で示される第２の光ビームの強度の第２の時間インターバルにわたる積分に対する、矢印１２０で示される第１の光ビームの強度の第１の時間インターバルにわたる積分の比が、第２の光ビームの強度に対する第１の光ビームの強度の比の約０．５倍未満でありうる。
【００２０】
システム１００の例の選択されたエンドユーザ用途に対する第１、第２および第３のサブフレームの生成に適する波長における光、または波長範囲内の光を放射するように構成され、同時に、以下に説明されるような第４のサブフレームならびに付加的な第５または第６のサブフレーム等を含むことができる、任意の光源１０２、１０４、１０６が使用されうることは、当業者によって理解される。例えば、選択された知覚色空間の中に知覚色を再現するのに効果的な色の組合せを生成するための波長における光、または波長範囲内の光を放射するように構成される光源１０２、１０４、１０６が、使用されうる。光源１０２、１０４、１０６は、例えば、半導体ダイオード・レーザ、ダイオード励起ソリッド・ステート・レーザ、発光ダイオード（ＬＥＤ）、および垂直空洞表面放射レーザ（ＶＣＳＥＬ）など、レーザ装置を例として含むことができ、また、周波数変換レーザを含むことができる。知覚色空間の例は、全米テレビジョン放送方式標準化委員会（「ＮＴＳＣ」）、ディジタル・シネマ・イニシアチブ（「ＤＣＩ」）、国際電気標準会議（「ＩＥＣ」）およびｓＲＧＢの色空間を含む。
【００２１】
図２は、第１、第２および第３の光源１０２、１０４、１０６それぞれの代表的な第１、第２および第３の光放射サイクル２０２、２０４、２０６の、２つの連続するセットを含む、システムの一例の動作を概略的に示す時系列グラフである。図２において、ｘ軸は、時間経過をミリ秒（ｍＳ）で表し、第１、第２および第３の光源１０２、１０４、１０６が、それぞれ第１、第２および第３の光放射サイクル２０２、２０４、２０６において光を放射する間の時間周期を概略的に示す。図２におけるｙ軸は、矢印１１２、１１４、１１６で示される第１、第２および第３の光ビームの強度を、ミリワット（ｍＷ）で表す。
【００２２】
図２に概略的に示される例において、第１、第２および第３の光源１０２、１０４、１０６のそれぞれは、図２の矢印２０８、２１０、２１２および図１の矢印１１２、１１４、１１６でそれぞれ示される、実質的にそれらの最大達成可能強度で動作する。この例において、第１の光源１０２は、一般に、人の視覚に緑として知覚される色を有する、約５００ナノメートルと約５５０ナノメートルの間の、第１の波長範囲の中の光を生成するように構成されうる。さらに、第２の光源１０４は、一般に、人の視覚に青として知覚される色を有する、約４００ナノメートルと約４９９ナノメートルの間の、第２の波長範囲の中の光を生成するように構成されうる。また、第３の光源１０６は、一般に、人の視覚に赤として知覚される色を有する、約６００ナノメートルと約６５０ナノメートルの間の、第３の波長範囲の中の光を生成するように構成されうる。第１の光源１０２は、例えば、約１０６０ナノメートルの波長で赤外電磁放射線を放射する基本光源、および約５３２ナノメートルの波長で第１の光ビームを生成するように第１の光源１０２を構成する、光周波数二倍装置を含むことができる。そのような第１の光源１０２は、例えば、約２００ｍＷの最大達成可能出力強度を有することができる。第２の光源１０４は、例えば、約４６０ナノメートルの波長で可視光を放射する基本光源を含むことができ、例えば、約５００ｍＷの最大達成可能出力強度を有することができる。第３の光源１０６は、例えば、約６４０ナノメートルの波長で可視光を放射する基本光源を含むことができ、例えば、約４００ｍＷの最大達成可能出力強度を有することができる。これらの波長に対して、国際照明委員会（「ＣＩＥ」）標準は、ＣＩＥ色度チャートにおいて色座標（０．３３、０．３３）を有する標準的な白の知覚色の例を生み出すために、知覚される緑、青および赤の蓄積されたエネルギー（パワーを意味する強度に持続期間を乗算したもの）の間の比が、ほぼ１：０．８：１．７であることを要求する。他の波長の原色に対して、ＣＩＥ標準により、この比が異なってよいことは、当業者には理解される。一例として、これらの比は、第１、第２および第３のレーザ１０２、１０４、１０６の例の間の、最大達成可能出力強度（パワー）性能比の例の２００：５００：３００と合致しない。この例における第１の光源１０２の最大達成可能出力強度は約２００ｍＷに過ぎないので、矢印２０８で図２に示される第１の最大達成可能出力強度は、矢印２１０、２１２で図２にそれぞれ示される第２および第３の最大達成可能出力強度のそれぞれより低い。さらに、この例における第２の光源１０４の最大達成可能出力強度は約５００ｍＷであるので、矢印２１０で図２に示される第２の最大達成可能出力強度は、矢印２０８、２１２で図２にそれぞれ示される第１および第３の最大達成可能出力強度のそれぞれより高い。
【００２３】
したがって、図２に概略的に示されるこの例において、第１の光源１０２が第１の光放射サイクル２０２の中で光を放射する間の、矢印２１４で示される時間周期は、第２および第３の光源１０４、１０６それぞれが第２および第３の光放射サイクル２０６、２０８の中で光を放射する間の、矢印２１６、２１８でそれぞれ示される時間周期より長くてよい。さらに、図２に概略的に示されるこの例において、第２の光源１０４が第２の光放射サイクル２０４の中で光を放射する間の、矢印２１６で示される時間周期は、第１および第３の光源１０２、１０６それぞれが第１および第３の光放射サイクル２０２、２０６の中で光を放射する間の、矢印２１４、２１８で示される時間周期より短くてよい。第１、第２および第３の光放射サイクル２０２、２０４、２０６の総合的エネルギーは、それぞれ面積２２０、２２２、２２４で概略的に表されうる。第１、第２および第３の光放射サイクル２０２、２０４、２０６の総合的エネルギーは、それぞれ、矢印２０８、２１０、２１２でそれぞれ示される第１、第２および第３の最大達成可能出力強度に、時間周期２１４、２１６、２１８それぞれを掛けた積として計算されうる。図２に概略的に示されるシステム１００の例のこれらの構成の結果として、面積２２０、２２２、２２４で示される第１、第２および第３の光放射サイクル２０２、２０４、２０６の総合的エネルギーは、システム１００が知覚される標準的白色を生み出すのに適切な、１：０．８：１．７の比に合致することができる。したがって、システム１００の例における第１、第２および第３の光源１０２、１０４、１０６のそれぞれは、それらそれぞれの最大達成可能出力強度で動作されてよく、適切なエネルギー比（１：０．８：１．７）と第１、第２および第３の光源１０２、１０４、１０６の間の最大達成可能出力強度の比との間の差にかかわらず、知覚される白色を集合的に生み出すために、第１、第２および第３の光放射サイクル２０２、２０４、２０６の適切なエネルギーを得る。
【００２４】
一般に、人の視覚は、青の知覚色を一般に有する約４００ナノメートルと約４９９ナノメートルの間の第２の波長範囲の中の光、または赤の知覚色を一般に有する約６００ナノメートルと約６５０ナノメートルの間の第３の波長範囲の中の光に対するより、緑の知覚色を一般に有する約５００ナノメートルと約５５０ナノメートルの間の第１の波長範囲の中の光に対して、より敏感である。図２における例が示すように、第１の光源１０２が第１の光放射サイクル２０２の中で光を放射する間の、矢印２１４で示される時間周期は、第２および第３の光源１０４、１０６が第２および第３の光放射サイクル２０６、２０８の中で光をそれぞれ放射する間の、矢印２１６、２１８でそれぞれ示される時間周期より長くてよい。したがって、システム１００のこの例は、システム１００のこの例が、第２および第３のサブフレーム（図示せず）の中で、知覚される青および赤の色をそれぞれ有する光を表示する間の、矢印２１６、２１８で示される時間周期より長い、矢印２１４で示される時間周期の間、第１のサブフレーム（図示せず）の中の知覚される緑色を有する光を表示する。人の目は、第１（緑）の光源が使用可能な１７ｍＳの３３％を照明する、第１、第２および第３の光照明サイクルの間の時間割当てが等しいシステムに対して比較すると、知覚的に青いまたは赤い光に対するよりも、知覚的に緑の光に対してより敏感であるので、システム１００のこの構成は、第１、第２および第３のサブフレーム（図示せず）によりイメージ・プロジェクタ１１０の中で集合的に表示される像の知覚される可視性および明るさを強めることができる。
【００２５】
他の例において、システム１００の中に含まれうるイメージ・プロジェクタ１１０は、所与の第１、第２または第３の光放射サイクル２０２、２０４、２０６それぞれの間、第１、第２および第３のサブフレーム（図示せず）の中でそれぞれ可視でありうる、矢印１１２、１１４、１１６で示される第１、第２および第３の光ビームの選択された部分を変調することができる。例えば、イメージ・プロジェクタ１１０は、矢印１１２、１１４、１１６でそれぞれ示される第１、第２または第３の光ビームをイメージ・プロジェクタ１１０で可視的に表示するために反射するように、あるいは光ビームをヒート・シンクまたは光ダンプに送ることなどにより、その視覚表示を遮断するように構成されたディジタル・マイクロミラー装置（ＤＭＤ）を含むディジタル光プロセッサ（ＤＬＰ）など、空間光変調器を含むことができる。空間光変調器の他の例として、イメージ・プロジェクタ１１０は、ＬＣＤの中で反射または伝送された後のそのような光ビームの表示を、可能にするかまたは遮断するために、矢印１１２、１１４、１１６で示される第１、第２および第３の光ビームの光の偏光を制御するように構成された液晶表示装置（ＬＣＤ）を含むことができる。ＬＣＤは、他の例として、液晶オン・シリコン表示装置（ＬＣｏＳ）を含むことができる。イメージ・プロジェクタ１１０のこれらの例のそれぞれにおいて、各ピクセルの明るさは、光が表示のために伝送されるかまたは反射されることを許可される間の時間と、光が遮断される間の時間との間の比で画定される。そのような比が高いほど、明るさのレベルは、結果的に高くなる。各光放射サイクルの時間周期の間、そのような空間光変調器は、イメージ・プロジェクタ１１０を放射光の視覚表示と遮断の間で切り替えて、イメージ・プロジェクタ１１０のオン−オフ・サイクル時間を占有する。図２を参照すると、矢印２１４、２１６、２１８で示される時間周期のうちの１つをイメージ・プロジェクタ１１０のオン−オフ・サイクル時間で分割することで、第１、第２および第３のサブフレーム（図示せず）のそれぞれの中に含まれるオン−オフ・サイクルの数に対する値が得られる。前に説明したとおり、光の知覚色は、矢印２１４、２１６、２１８で示される時間周期のそれぞれにわたってほぼ累積し、人の脳の平均的な像保持時間周期により制限される。したがって、第１、第２および第３のサブフレーム（図示せず）のそれぞれの中に含まれるオン−オフ・サイクルの数が、第１、第２および第３のサブフレームのそれぞれの中に可視化されうる知覚色の、異なるグラデーションの深さの範囲を決定する。例えば、システム１００の例が、第１のサブフレーム（図示せず）の中に知覚される緑色を有する光を表示する間の、矢印２１４で示される時間周期は、システム１００のこの例が、第２および第３のサブフレーム（図示せず）の中に知覚される青および知覚される赤の色をそれぞれ有する光を表示する間の、矢印２１６、２１８で示される時間周期に対して、長くされてよい。矢印２１４で示される時間周期をこのように長くすることで、知覚される緑色の第１のサブフレーム（図示せず）の中に含まれる、イメージ・プロジェクタ１１０に対するオン−オフ・サイクルの数が増加する。したがって、第１のサブフレームの中で可視化されうる知覚される緑色の異なるグラデーションの深さの範囲は、第２および第３のサブフレームのそれぞれの中で可視化されうる知覚される青および知覚される赤の色の異なるグラデーションの深さの範囲に対して増加されうる。人の視覚は、一般に、知覚される青または知覚される赤の色に対するよりも、知覚される緑色に対してより敏感であるので、矢印２１４で示される時間周期をこのように長くすることで、システム１００の例で効果的に生成されうる知覚される色スペクトルを強めることができる。さらに、例えば、システム１００の中に含まれうるイメージ・プロジェクタ１１０は、マイクロミラー・アレイまたはピクセル・アレイなど、光ビームの制御された視覚表示のための、複数の離散的要素を含むことができる。次いで、例えば、イメージ・プロジェクタ１１０の構成および動作について上で議論した例は、マイクロミラー毎に、またはピクセル毎に実施されうる。
【００２６】
システム１００の他の例において、制御器１０８は、第１、第２または第３の光放射サイクル２０２、２０４、２０６それぞれの間に、第１、第２または第３の光源１０２、１０４、１０６をパルス動作させるように構成されうる。例えば、第１、第２または第３の光源１０２、１０４、１０６のパルス動作は、図２に矢印２０８、２１０、２１２でそれぞれ示される最大達成可能出力強度を、結果的により高くすることができる。さらに、第１、第２または第３の光源１０２、１０４、１０６のパルス動作は、面積２２０、２２２、２２４それぞれで概略的に示されるように、第１、第２および第３の光放射サイクル２０２、２０４、２０６の総合的エネルギーを、結果的により高くすることができる。人の視覚は、一般に、知覚される青または知覚される赤の色に対するよりも、知覚される緑色に対してより敏感であるので、他の例において、制御器１０８は、約５００ナノメートルと約５５０ナノメートルの間の第１の波長範囲の中で、知覚される緑色を有する光を生成するように構成される第１の光源１０２をパルス動作させるように、選択的に構成されうる。追加の例として、第１、第２または第３の光放射サイクル２０２、２０４、２０６の間のパルス動作は、矢印２１４、２１６、２１８で示される時間周期の中の複数のサイクルを含む「くし」パターンで実施されてよく、「くし」パターンにおいて、第１、第２または第３の光源１０２、１０４、１０６は、順次、オフにされ次いで最大達成可能出力強度で動作させられてよい。他の例において、第１、第２および第３の光源１０２、１０４、１０６は、連続波モードで動作させられてよい。
【００２７】
一例として、制御器１０８は、第１の光放射サイクルの間、第１の光源１０２をパルス動作させるように構成されうる。制御器１０８は、同様に、第２および第３の放射サイクルの間、第２および／または第３の光源１０４、１０６をパルス動作させるように構成されうる。他の例として、制御器１０８は、第１の光源１０２が光を放射するときの第１の光放射サイクルの副周期であって、第１の光源１０２が光を放射しないときの第１の光放射サイクルの別の副周期とは異なる持続時間を有する副周期を生成するように構成されうる。第２および／または第３の光源１０４、１０６の第２および第３の放射サイクルは、制御器１０８を適宜構成することにより、同様に生成されうる。
【００２８】
図３は、システム１００の他の例の一部分の動作を概略的に示す、時系列グラフである。図４は、図３のシステム１００の例の別の部分の動作を概略的に示す、時系列グラフである。図５は、図３および図４のシステム１００の追加の部分の動作を概略的に示す、時系列グラフである。図３〜図５それぞれは、第１、第２および第３の光源１０２、１０４、１０６それぞれの代表的な第１、第２および第３の光放射サイクル３０２、４０２、５０２のうちの２つの連続するセットをそれぞれ含む。図３〜図５はまた、第１、第２および第３の光源１０２、１０４、１０６それぞれの代表的な第４の光放射サイクル３０４、４０４、５０４のうちの２つの連続するセットをそれぞれ含む。図３〜図５において、ｘ軸は、時間の経過をミリ秒（ｍＳ）で表し、第１、第２および第３の光源１０２、１０４、１０６が、第１、第２および第３の光放射サイクル３０２、４０２、５０２の中でそれぞれ光を放射する間の時間周期を、概略的に示す。さらに、ｘ軸は、第１、第２および第３の光源１０２、１０４、１０６のすべてが、第４の光放射サイクル３０４、４０４、５０４の中で光を放射する間の時間周期を、概略的に示す。図３〜図５におけるｙ軸は、第１、第２および第３の光ビーム１１２、１１４、１１６の強度を、ｍＷで表す。
【００２９】
図３〜図５において集合的に、概略的に示されるシステム１００の例において、図２に関連して上で議論したシステム１００の例の動作に類似して、第１、第２および第３の光源１０２、１０４、１０６は、それぞれ、第１、第２および第３の光放射サイクル３０２、４０２、５０２の間に、図３〜図５に矢印３０６、４０６、５０６でそれぞれ示される、実質的にそれらの最大達成可能出力強度で動作させられる。第１、第２および第３の光放射サイクル３０２、４０２、５０２の間の、制御器１０８、第１、第２および第３の光源１０２、１０４、１０６、ならびにもし含まれる場合はイメージ・プロジェクタ１１０の構成および動作は、図２に関連して上で議論した第１、第２および第３の光放射サイクル２０２、２０４、２０６の間の、制御器１０８、第１、第２および第３の光源１０２、１０４、１０６、ならびにもし含まれる場合はイメージ・プロジェクタ１１０の構成および動作に類似して実施されうる。さらに、例えば、システム１００は、第１、第２および第３のサブフレーム（図示せず）を順次生成した後、第４のサブフレーム（図示せず）を順次生成するように構成されてよく、第４のサブフレームは、知覚される高い強度を有し、第１、第２および第３の光ビーム１１２、１１４、１１６を含む。第４のサブフレームの間の、第１、第２および第３の光ビーム１１２、１１４、１１６の強度の間の比は、例えば、選択された知覚される白色を生成するのに適するように決定されうる。一例として、制御器は、第４のサブフレームを画定するために、第１、第２および第３の光ビーム１１２、１１４、１１６の生成を制御する、知覚される白色をエンコードする第２の色制御データを生成するように構成されうる。
【００３０】
第１の光放射サイクル３０２の総合的全エネルギーは、面積３０８で概略的に表されうる。第１の光放射サイクル３０２の総合的全エネルギーは、矢印３０６で示される第１の最大達成可能強度に、矢印３１０で示される時間周期を掛けた積として計算されうる。第２の光放射サイクル４０２の総合的全エネルギーは、面積４０８で概略的に表されうる。第２の光放射サイクル４０２の総合的全エネルギーは、矢印４０６で示される第２の最大達成可能強度に、矢印４１０で示される時間周期を掛けた積として計算されうる。第３の光放射サイクル５０２の総合的全エネルギーは、面積５０８で概略的に表されうる。第３の光放射サイクル５０２の総合的全エネルギーは、矢印５０６で示される第３の最大達成可能強度に、矢印５１０で示される時間周期を掛けた積として計算されうる。第４の光放射サイクル３０４、４０４、５０４の総合的全エネルギーは、面積３１２、４１２、５１２で概略的に示されうる。第４の光放射サイクル３０４、４０４、５０４の総合的全エネルギーは、矢印３０６、４０６、５０６で示される最大達成可能強度に、矢印３１４、４１４、５１４で示される時間周期をそれぞれ掛けた積の和として計算されうる。
【００３１】
上の例において、３つの光源１０２、１０４、１０６のそれぞれは、３つのサブフレームだけを使用する前の例と比較すると、色表示フレームの４つのサブフレームを通して、より長い全時間周期の間、光を放射することができる。結果としてもたらされる、表示される像の明るさは、それゆえ強められうる。これらの例において、制御器１０８は、第４の光放射サイクルの中の第４のサブフレームに対して、空間光変調器など、イメージ・プロジェクタ１１０のピクセル・アレイのためのビデオ・データを生成するように構成されうる。第４の光放射サイクルの間に必要なビデオ・データは、第１、第２および第３の光放射サイクルに対する色制御データ入力１１８により指定されるビデオ・データに基づいて決定されうる。特定の一例において、各ピクセルに対して、第４の光放射サイクルに対するビデオ・データは、同じピクセルに対する第１、第２および第３のサイクルの間のビデオ・データの最小値に等しくてよい。
【００３２】
他の例において、システム１００は、矢印３０６で示される第１の最大達成可能出力強度が、矢印４０６、５０６で示される第２および第３の最大達成可能出力強度のそれぞれより小さくなるように構成されうる。例えば、第１の光源１０２は、約５００ナノメートルと約５５０ナノメートルの間の波長範囲の中の光を生成するように構成されうる。さらにその例において、制御器１０８は、第２の色制御データ出力において、矢印１１２で示される第１の光ビームの強度を最大化するように構成されうる。その方法において、人の視覚は一般に、知覚される青または赤の色に対するよりも、知覚される緑色に対してより敏感であるので、イメージ・プロジェクタ１１０における視覚表示の可視性および明るさが強められうる。
【００３３】
図３〜図５に示すシステム１００の例は、第１、第２、第３および第４の光放射サイクル３０２、４０２、５０２、３０４、４０４、５０４に加えて、１つまたは複数の更なる光放射サイクル（図示せず）を生成するように構成されうる。
【００３４】
図６は、図２〜図５に示すように、多色光源を有する結像システムを動作させる方法６００の実施の一例を示す流れ図である。方法はステップ６０２で始まり、次いで６０４で、第１の知覚色の、矢印１１２で示される第１の光ビームを生成するように構成される第１の光源１０２と、異なる第２の知覚色の、矢印１１４で示される第２の光ビームを生成するように構成される第２の光源１０４と、矢印１１２、１１４で示される第１および第２の光ビームからの光を、イメージ・プロジェクタ１１０に導くように構成される制御器１０８と、を提供するステップを含む装置が提供される。第１の光源１０２は、第１の強度を有する、矢印１１２で示される第１の光ビームを生成し、第２の光源１０４は、異なる第２の強度を有する、矢印１１４で示される第２の光ビームを生成する。一例において、ステップ６０４で装置を提供するステップは、そのようなイメージ・プロジェクタを提供するステップをさらに含むことができる。ステップ６０６は、制御器１０８に、第１の時間インターバルの間に、矢印１１２で示される第１の光ビームからの光をイメージ・プロジェクタ１１０に導かせるステップと、第２の時間インターバルの間に、矢印１１４で示される第２の光ビームからの光をイメージ・プロジェクタ１１０に導かせるステップとを含む。ステップ６０６で制御器１０８に、矢印１１２、１１４で示される第１および第２の光ビームからの光をイメージ・プロジェクタ１１０に導かせるステップは、第２の時間インターバルが第１の時間インターバルより長くなるように第１および第２の時間インターバルを一時的にインターリーブするように制御器１０８を構成するステップをさらに含む。方法は次いで、ステップ６０８で終了してよい。
【００３５】
一例において、ステップ６０４は、イメージ・プロジェクタ１１０を提供するステップを含むことができる。他の例において、ステップ６０６は、矢印１２２で示される第２の光ビームの強度の、第２の時間インターバルにわたる積分に対する、矢印１２０で示される第１の光ビームの強度の、第１の時間インターバルにわたる積分の比を、第２の光ビームの強度に対する第１の光ビームの強度の比の約０．７５倍未満に制御するステップを含むことができる。他の例として、ステップ６０６は、矢印１２２で示される第２の光ビームの強度の、第２の時間インターバルにわたる積分に対する、矢印１２０で示される第１の光ビームの強度の、第１の時間インターバルにわたる積分の比を、第２の光ビームの強度に対する第１の光ビームの強度の比の約０．５倍未満に制御するステップを含むことができる。
【００３６】
他の例として、ステップ６０４は、第１および第２の知覚色と異なる、矢印１２４で示される第３の知覚色の第３の光ビームを生成するように構成される第３の光源１０６を提供するステップを含んでよく、ステップ６０６は、第３の時間インターバルの間に、制御器１０８に、第３の光ビームをイメージ・プロジェクタ１１０に導かせるステップを含むことができ、第３の時間インターバルが第１または第２の時間インターバルより短くなるように、第３の時間インターバルが、第１の時間インターバルと第２の時間インターバルの間に一時的にインターリーブされる。さらに、例えば、第３の光ビームは、第１の光ビームの強度と異なり、第２の光ビームの強度と異なる強度を有することができる。
【００３７】
さらなる例において、ステップ６０６は、制御器１０８に、第３の光ビームの強度の第３の時間インターバルにわたる積分に対する、第１の光ビームの強度の第１の時間インターバルにわたる積分の比を、第３の光ビームの強度に対する第１の光ビームの強度比の約０．５倍未満に制御させるステップを含むことができる。追加の例において、ステップ６０６は、制御器１０８に、第１、第２および第３の時間インターバルそれぞれにわたって積分される第１、第２および第３の光ビームの強度を、白の知覚色の光を集合的に生み出すように制御させるステップを含むことができる。
【００３８】
他の例として、ステップ６０６は、制御器に、第４の時間インターバルの間に第１、第２および第３の光ビームを同時にイメージ・プロジェクタ１１０に導かせるステップを含むことができ、第４の時間インターバルが第３のインターバルに続く。
【００３９】
さらに例えば、ステップ６０４は、約５００ナノメートルと約５５０ナノメートルの間の波長範囲の中の光を生成するように構成されるような第１の光源を提供するステップを含むことができる。さらに例えば、ステップ６０４は、約４００ナノメートルと約４９９ナノメートルの間の波長範囲の中の光を生成するように構成されるような第２の光源を提供するステップを含むことができる。
【００４０】
一例において、ステップ６０６は、制御器１０８に、第１の光放射サイクルの間に第１の光源からの光をパルス放射させるステップを含むことができる。他の例として、ステップ６０６は、制御器１０８に、第１の光源が光を放射するときの第１の光放射サイクルの副周期であって、第１の光源が光を放射しないときの第１の光放射サイクルの別の副周期と異なる持続時間を有する副周期を生成させるステップを含むことができる。
【００４１】
本明細書の教示は、以下の、本出願と同じ日に出願した、本出願と同じ出願人による米国特許出願と併せて使用されうる。これらの米国特許出願のそれぞれの全体が、参照により本明細書に組み込まれる：Ｇ．Ｃｈｅｎ  １２−２２、「ＤＩＦＦＵＳＥＲ  ＣＯＮＦＩＧＵＲＡＴＩＯＮ  ＦＯＲ  ＡＮ  ＩＭＡＧＥ  ＰＲＯＪＥＣＴＯＲ」、Ｇａｎｇ  ＣｈｅｎおよびＲｏｌａｎｄ  Ｒｙｆ（弁護士Ｙ．Ｇｒｕｚｄｋｏｖ）；Ｇ．Ｃｈｅｎ  １１−２１、「ＳＹＳＴＥＭ  ＡＮＤ  ＭＥＴＨＯＤ  ＦＯＲ  ＣＯＬＯＲ−ＣＯＭＰＥＮＳＡＴＩＮＧ  Ａ  ＶＩＤＥＯ  ＳＩＧＮＡＬ  ＨＡＶＩＮＧ  ＲＥＤＵＣＥＤ  ＣＯＭＰＵＴＡＴＩＯＮＡＬ  ＲＥＱＵＩＲＥＭＥＮＴＳ」、Ｇａｎｇ  ＣｈｅｎおよびＲｏｌａｎｄ  Ｒｙｆ（弁護士Ｄ．Ｈｉｔｔ）；Ｇ．Ｃｈｅｎ  １４−１−２４、「ＴＩＭＥ  ＤＩＶＩＳＩＯＮ  ＭＵＬＴＩＰＬＥＸＩＮＧ  Ａ  ＤＣ−ＴＯ−ＤＣ  ＶＯＬＴＡＧＥ  ＣＯＮＶＥＲＴＥＲ」、Ｇａｎｇ  Ｃｈｅｎ、Ｄａｖｉｄ  Ａ．ＤｕｑｕｅおよびＲｏｌａｎｄ  Ｒｙｆ（弁護士Ｊ．ＭｃＣａｂｅ）。さらに、本明細書の様々な例は、それぞれの全体が参照により本出願に組み込まれる、以下の４つの特許出願：２００７年３月２日に出願した、Ｒａｎｄｙ  Ｃ．Ｇｉｌｅｓらの米国特許出願第１１／７１３２０７号、２００７年３月２日に出願した、Ｖｌａｄｉｍｉｒ  Ａ．Ａｋｓｙｕｋらの米国特許出願第１１／６８１３７６号、２００７年３月２日に出願した、Ｖｌａｄｉｍｉｒ  Ａ．Ａｋｓｙｕｋらの米国特許出願第１１／７１３１５５号、２００７年３月２日に出願した、Ｇａｎｇ  Ｃｈｅｎらの米国特許出願第１１／７１３４８３号、に記載される光プロジェクタ、多色光源、スペックル低減の方法および構造、および／または空間光変調器（ＳＬＭ）を使用することができ、および／またはこれらの特許出願に記載される光プロジェクタおよび光学的像形成方法において、使用されうる。
【００４２】
システム１００は、例えば、多色光源として使用されうる。システム１００は、例えば、イメージ・プロジェクタと共に使用されてよく、イメージ・プロジェクタを含むことができる。システム１００は、例えば、光源ビームの入力を受光するのに適する、また光源ビームを表示するのに適する任意の種類のイメージ・プロジェクタを含むことができる。同様に、方法６００は、複数の光源および制御器を含む適切なシステムを動作させることに関連して使用されてよく、例の中に、イメージ・プロジェクタをさらに含んでよい。ただし開示されたシステム１００は、これらの単なる例である。前述の説明が、いくつかの例においてシステム１００に言及する一方で、主題が、これらの構造にも明細書の中で説明される構造にも限定されないことが、理解される。装置の他の構成は、本明細書の中の教示と矛盾することなく使用されうる。同様に、方法６００は、追加のステップ、および示されたステップの改変を含むことができる。
【００４３】
さらに、前述の多くの例についての説明は、例示および説明の目的で提供されていることを理解されたい。この説明は、包括的ではなく、請求される発明を、開示された詳細な形態に限定するものではない。改変および変形が、上の説明に照らして可能であり、または発明の実施から取得されうる。本特許請求の範囲およびそれらの同等物が、本発明の範囲を画定する。
【図１】
2011510356.tif 000003
【図２】
2011510356.tif 000004
【図３】
2011510356.tif 000005
【図４】
2011510356.tif 000006
【図５】
2011510356.tif 000007
【図６】
2011510356.tif 000008
【国際調査報告】
2011510356.tif 000009
2011510356.tif 000010